(57)【特許請求の範囲】
【請求項１】
電気エネルギーによって発光する発光部と、
発光用の第１の充放電コンデンサを内蔵しているカメラ本体であって発光用の充放電コンデンサを内蔵していない第１の交換レンズ本体および発光用の第２の充放電コンデンサを内蔵している第２の交換レンズ本体を選択的に装着可能なカメラ本体と、
前記第２の交換レンズ本体が前記カメラ本体に装着されているとき、前記第２の交換レンズ本体内の前記第２の充放電コンデンサとの電気的な接続を行うための接続部と、
前記第１の交換レンズ本体が前記カメラ本体に装着されているときには、前記カメラ本体内の前記第１の充放電コンデンサに蓄えられる電気エネルギーを前記発光部に与える一方で、前記第２の交換レンズ本体が前記カメラ本体に装着されているときには、前記カメラ本体内の前記第１の充放電コンデンサと前記第２の交換レンズ本体内の前記第２の充放電コンデンサとが並列接続されて両方の充放電コンデンサに蓄えられる電気エネルギーを前記発光部に与える回路構造と、
を備え、
前記カメラ本体内の前記第１の充放電コンデンサは、標準の前記第１の交換レンズを使用した場合に対応する容量を有し、前記第２の交換レンズ本体内の前記第２の充放電コンデンサは、前記カメラ本体内の前記第１の充放電コンデンサの不足分を補う容量を有していることを特徴とするカメラ。
【請求項２】
前記第２の交換レンズ本体は、前記発光部の発光角を変えるレンズ又は拡散板が設けられていることを特徴とする請求項１に記載のカメラ。
【発明の詳細な説明】
【０００１】
【発明の属する技術分野】
本発明はカメラに係り、特に銀塩カメラ、デジタルスチルカメラ、ムービーカメラ、画像入力装置など、画像情報の記録方式や形態を問わず、交換レンズを装着することができるカメラに関する。
【０００２】
【従来の技術】
特開平８−１７２５６１号公報等に示されているように、カメラの分野では着脱式の交換レンズを用い、用途に応じて適切な撮影レンズをカメラに装着することは広く行われている。
例えば、レンズ交換可能なデジタルスチルカメラにおいて、標準レンズに代えて交換レンズとしてズームレンズを装着したり、標準レンズよりもＦ値が暗いレンズなどを装着する場合がある。かかる場合、従来のカメラでは、ストロボ発光に関するガイドナンバー（以下、ＧＮと記す。）について特別な配慮はなされていなかった。
【０００３】
【発明が解決しようとする課題】
しかしながら、仮にＧＮ１０のストロボに対して、Ｆ値４のレンズが装着された場合、ストロボによる撮影距離（発光距離）は２．５ｍとなり、Ｆ値５．６のレンズが装着された場合には約１．８ｍの撮影距離となる。
また、同等のＦ値を有するレンズであっても、ズームレンズが装着された場合には、そのズーム倍率に対応できる距離までストロボ光が到達しないという問題がある。
【０００４】
かかる課題に対して、カメラに装着され得る交換レンズのワーストケース（最大のＦ値、かつ最大倍率など）を想定して、カメラ本体に内蔵するストロボのガイドナンバーを大きく設定しておくことも考えられる。しかし、このような方法では、大容量のストロボ充放電コンデンサをカメラ本体に内蔵しなければならないなど、カメラ本体が大型化するという問題がある。
【０００５】
本発明はこのような事情に鑑みてなされたもので、カメラに装着される交換レンズの種別に応じてストロボでの撮影範囲を拡張することができ、またカメラ本体の小型化をも実現することができるカメラを提供することを目的とする。
【０００６】
【課題を解決するための手段】
前記目的を達成するために、請求項１に記載の発明は、電気エネルギーによって発光する発光部と、発光用の第１の充放電コンデンサを内蔵しているカメラ本体であって発光用の充放電コンデンサを内蔵していない第１の交換レンズ本体および発光用の第２の充放電コンデンサを内蔵している第２の交換レンズ本体を選択的に装着可能なカメラ本体と、前記第２の交換レンズ本体が前記カメラ本体に装着されているとき、前記第２の交換レンズ本体内の前記第２の充放電コンデンサとの電気的な接続を行うための接続部と、前記第１の交換レンズ本体が前記カメラ本体に装着されているときには、前記カメラ本体内の前記第１の充放電コンデンサに蓄えられる電気エネルギーを前記発光部に与える一方で、前記第２の交換レンズ本体が前記カメラ本体に装着されているときには、前記カメラ本体内の前記第１の充放電コンデンサと前記第２の交換レンズ本体内の前記第２の充放電コンデンサとが並列接続されて両方の充放電コンデンサに蓄えられる電気エネルギーを前記発光部に与える回路構造と、を備え、前記カメラ本体内の前記第１の充放電コンデンサは、標準の前記第１の交換レンズを使用した場合に対応する容量を有し、前記第２の交換レンズ本体内の前記第２の充放電コンデンサは、前記カメラ本体内の前記第１の充放電コンデンサの不足分を補う容量を有していることを特徴とする。
【０００７】
本発明によれば、カメラ本体に着脱される第２の交換レンズ側にストロボ充放電用コンデンサを設けたことにより、カメラ本体側は、必要最小限の容量のコンデンサを内蔵すればよい。そして、第２の交換レンズ側に各交換レンズの仕様にあわせて、当該レンズの撮影距離をカバーするのに必要な電気エネルギーを蓄積可能なコンデンサを内蔵する。これにより、カメラ本体を大型化することなく、レンズ種別に応じてストロボによる撮影範囲を広げることができる。
【０００８】
カメラ本体に第１の充放電コンデンサを搭載し、第２の交換レンズ側には、レンズの仕様に応じてその不足分を補う容量の第２の充放電コンデンサを内蔵しておく。
請求項２に記載の発明は、請求項１に記載の発明において、前記第２の交換レンズ本体は、前記発光部の発光角を変えるレンズ又は拡散板が設けられていることを特徴とする。
【０００９】
【発明の実施の形態】
以下添付図面に従って本発明に係るカメラの好ましい実施の形態について説明する。
図１は本発明の実施の形態を示すカメラの斜視図である。カメラ本体１０は前面略中央部にレンズマウント１２が設けられており、該レンズマウント１２に複数種類の交換レンズ１４、１６、１８が着脱自在に装着される。第１の交換レンズ１４はいわゆる標準レンズであり、例えばＦ２．８のレンズとする。第２の交換レンズ１６はズームレンズ、第３の交換レンズ１８はＦ４．５のレンズとする。なお、図では３種類の交換レンズを示してあるが、交換レンズの種類や形態はこれに限定するものでなない。
【００１０】
カメラ本体１０にはストロボ発光部２０、ストロボ調光センサ２２、及びレリーズスイッチ２３が設けられ、内部にストロボ用充電コンデンサ（以下、カメラ内蔵コンデンサという。）２５が配設されている。このカメラ内蔵コンデンサ２５は、標準レンズ（１４）の装着を想定してこれに適したガイドナンバー（例えばＧＮ８）を実現するのに必要な容量を有している。
【００１１】
第２の交換レンズ１６、及び第３の交換レンズ１８はそれぞれストロボ充放電コンデンサ（以下、レンズ内蔵コンデンサという。）２６、２８を備え、これら交換レンズ１６、１８をカメラ本体１０に装着した際に前記カメラ内蔵コンデンサ２５とレンズ内蔵コンデンサ２６（又は２８）とが並列接続される構造になっている。
【００１２】
例えば、図２に示すように、交換レンズ１６（又は１８）後端のマウント部３０にレンズ内蔵コンデンサ２６（２８）の接続用接点３２が設けられる一方、カメラのレンズマウント１２側にもこれに対応する接点３４が設けられている。交換レンズ１６、１８をレンズマウント１２に装着することにより、対応する接点同士が接続されてレンズ内蔵コンデンサ２６、２８とカメラ内蔵コンデンサ２５とが並列接続される。なお、電気的な接続手段は、図２に示す接点方式に限らず、コネクタやワイヤー（ケーブル）を用いてもよい。
【００１３】
図３は本実施の形態に係るカメラに組み込まれているストロボ装置のブロック図であり、図４は交換レンズが装着された状態におけるストロボ装置の電気回路図である。なお、図３中▲１▼〜▲６▼で示す番号は図４に示した電気回路図における端子▲１▼〜▲６▼の番号に対応している。
図３に示すように、本例のカメラには電源部３８、マイコン４０、ストロボ制御回路４２、昇圧回路４４、電圧検出部４６、発光回路４８、メインコンデンサ接続端子５０、キセノン（Ｘｅ）放電管５２、及び受光部５４等が設けられている。受光部５４はストロボ調光センサ２２に相当するものであり、カメラがＣＣＤ等の撮像素子を利用する電子カメラの場合、ストロボ調光センサ２２を省略して撮像素子で代用することも可能である。
【００１４】
ストロボ制御回路４２は受光部５４から得られる受光信号及びマイコン４０からの指示に従って昇圧回路４４及び発光回路４８を制御し、当該ストロボ装置における発光、調光、並びにコンデンサ充電の各制御を行う。
電源部３８に接続されている昇圧回路４４によって高圧直流が得られ、この高圧直流は発光回路４８へと加えられる。昇圧回路４４の出力電圧は電圧検出部４６によって監視されており、この電圧検出部４６の検出信号はストロボ制御回路４２に通知されている。ストロボ制御回路４２は電圧検出部４６から受入する検出信号に基づいて昇圧回路４４を制御している。
【００１５】
発光回路４８はカメラ内蔵コンデンサ２５を含み、メインコンデンサ接続端子５０を介してレンズ内蔵コンデンサ２６（２８）と接続される。発光回路４８は昇圧回路４４から供給される高圧電流によってこれらコンデンサ２５、２６、２８を充電する一方、ストロボ制御回路４２からの指示に従ってコンデンサ２５、２６、２８からエネルギーを取り出してキセノン放電管５２を発光させる。
【００１６】
図４中一点鎖線で囲んだ昇圧回路４４は周知の充電手段である。また、図４におけるコンデンサＣ1 がメインコンデンサ、即ちカメラ本体１０に内蔵したカメラ内蔵コンデンサ２５に相当している。カメラ内蔵コンデンサ２５の両端子から並列接続用の端子▲５▼、▲６▼が分岐しており、これら端子▲５▼、▲６▼にメインコンデンサ接続端子５０を介してレンズ内蔵コンデンサ２６（２８）が接続される。
【００１７】
ストロボ制御回路４２から発光制御信号（トリガ信号）が出力され、このトリガ信号が端子▲３▼に加えられると、トランジスタＱ6 がＯＮしてコイルＴ2 によってキセノン放電管５２のトリガ電極に数ｋＶが印加され、ストロボ発光が行われる。
上記の如く構成されたカメラの作用は次の通りである。
【００１８】
標準レンズ（第１の交換レンズ）１４と互換性を有して装着可能なズームレンズ（第２の交換レンズ）１６やＦ４．５のレンズ（第３の交換レンズ）１８にストロボ充放電コンデンサ２６、２８を内蔵させたことにより、カメラ本体１０側には標準レンズ１４で必要な最低限の容量のコンデンサ２５を内蔵すれば足りる。
【００１９】
即ち、標準レンズ１４はストロボ充放電コンデンサを有しておらず、ズームレンズ等の各交換レンズ１６、１８には、レンズの仕様に応じて前記カメラ内蔵コンデンサ２５の容量の不足分を補うことができる容量を有するコンデンサ（２６、２８）が設けられている。
ズームレンズ１６又はＦ４．５レンズ１８をカメラ本体１０に装着した場合、レンズ側に内蔵したレンズ内蔵コンデンサ２６、２８とカメラ側のカメラ内蔵コンデンサと並列接続されることによってストロボ充放電コンデンサの容量が拡大する。これにより、ガイドナンバーを大きくすることができ、各レンズ仕様に適したストロボ撮影範囲を実現することができる。
【００２０】
更に、ズームレンズ等の交換レンズを装着した場合には、ストロボ発光部の発角（ストロボ照射角）が問題になる場合があるので、カメラ本体１０に装着されたレンズに応じてストロボ発光部２０の発光角を制御する手段を付加したり、図５に示すように、交換レンズ１６（又は１８）本体に、前記ストロボ発光部２０の発光角を変えるレンズ（又は拡散板）５０を設けてもよい。
【００２１】
【発明の効果】
以上説明したように本発明に係るカメラによれば、交換レンズの仕様に合わせて、必要な容量を蓄積できるコンデンサを交換レンズ本体に内蔵するようにしたので、レンズ種別に応じてストロボでの撮影範囲を広げることができる。
【図面の簡単な説明】
【図１】本発明の実施の形態を示すカメラの斜視図
【図２】コンデンサの接続構造の一例を説明するために用いた図
【図３】本実施の形態に係るカメラに組み込まれているストロボ装置の構成を示すブロック図
【図４】図３に示したストロボ装置の電気回路図
【図５】ストロボ照射角を変更する手段が付加された形態例を示す斜視図
【符号の説明】
１０…カメラ本体
１２…レンズマウント
１４、１６、１８…交換レンズ
２０…ストロボ発光部
２５…カメラ内蔵コンデンサ（第２のストロボ充放電コンデンサに相当）
２６、２８…レンズ内蔵コンデンサ（ストロボ充放電コンデンサに相当）
３２…接続用接点
３４…接点（接続部に相当）
【図１】
0003921840.tif 000002
【図２】
0003921840.tif 000003
【図３】
0003921840.tif 000004
【図４】
0003921840.tif 000005
【図５】
0003921840.tif 000006